(57)【要約】【課題】認識装置によって使用するための物体認識方法を提供する。【解決手段】複数の物体の各物体は、対応する物体を特徴付けるメタ情報を供給するように構成される。認識装置は、物体認識装置のパースペクティブを変えることによって、選択に複数の物体の少なくとも１つの物体を含める。認識装置は、選択に含まれた複数の物体のこの少なくとも１つの物体を認識し、スナップショット内に選択に含まれる少なくとも１つの物体の表示を取り込む。認識装置は、選択内の少なくとも１つの物体に対応するメタ情報、および追加的に、選択に含まれていない複数の物体のうちのいくつかの物体に対応するメタ情報をさらに認識する。次いで、認識装置は、スナップショットに、選択に含まれている少なくとも１つの物体の表示に追加して、選択内の少なくとも１つの物体に対応するメタ情報、および選択に含まれていない物体に対応するメタ情報を取り込む。【選択図】図１
2006304282.tif 000002
【特許請求の範囲】
【請求項１】
複数の物体を含む環境内で少なくとも１つの物体を認識するように構成された認識装置（ＰＤ）によって使用される物体認識方法であって、前記複数の物体の各物体が、前記対応する物体を特徴付けるメタ情報を供給するように構成され、前記物体認識方法が、
ａ．前記認識装置が、前記物体認識装置のパースペクティブを変えることによって、選択に前記複数の物体の前記少なくとも１つの物体を含むステップと、
ｂ．前記認識装置が、前記選択に含まれる前記複数の物体の前記少なくとも１つの物体を認識するステップと、
ｃ．前記認識装置が、スナップショットに、前記選択に含まれている前記少なくとも１つの物体の表示を取り込むステップとを含み、前記物体認識方法がさらに、
ｄ．前記認識装置が、前記選択内の前記少なくとも１つの物体に対応する前記メタ情報を認識するステップと、
ｅ．前記認識装置が、前記選択に含まれていない前記複数の物体のうちの前記物体に対応する前記メタ情報を認識するステップと、
ｆ．前記認識装置が、前記選択に含まれている前記少なくとも１つの物体の前記表示に加えて、前記選択内の前記少なくとも１つの物体に対応する前記メタ情報、および前記選択に含まれていない前記物体に対応する前記メタ情報を、前記スナップショットに取り込むステップとを含むことを特徴とする認識方法。
【請求項２】
前記認識装置が、前記認識装置のユーザに関するメタ情報を認識し、前記スナップショットに前記ユーザに関する前記メタ情報を取り込むステップをさらに含むことを特徴とする、請求項１に記載の物体認識方法。
【請求項３】
前記認識装置が、前記認識装置に関するメタ情報を認識し、前記スナップショットに前記認識装置に関する前記メタ情報を取り込むステップをさらに含むことを特徴とする、請求項１または請求項２に記載の物体認識方法。
【請求項４】
複数の物体を含む環境内の少なくとも１つの物体を認識するように構成された物体認識装置（ＰＤ）であって、前記複数の物体の各物体が、前記対応する物体を特徴付けるメタ情報を供給するように構成され、前記物体認識装置（ＰＤ）が、
ａ．物体認識装置のパースペクティブを変えることによって、選択に前記複数の物体の前記少なくとも１つの物体を含むように構成された物体選択部（ＯＳＰ）と、
ｂ．前記選択に含まれている前記複数の物体の前記少なくとも１つの物体を認識するように構成された物体認識部（ＯＰＰ）と、
ｃ．スナップショットに、前記選択に含まれている前記少なくとも１つの物体の表示を取り込むように構成された取込み部（ＣＰ）とを含み、前記物体認識装置（ＰＤ）がさらに、
ｄ．前記選択内の前記少なくとも１つの物体に対応する前記メタ情報を認識するように構成されたメタ情報認識部（ＭＰＰ）と、
ｅ．前記選択に含まれていない前記複数の物体のうちの前記物体に対応する前記メタ情報を受信するように構成されたメタ情報受信部（ＭＲＰ）とを含むこと、および、
前記取込み部（ＣＰ）が、前記選択に含まれている前記少なくとも１つの物体の前記表示に加えて、前記選択内の前記少なくとも１つの物体に対応する前記メタ情報、および前記選択に含まれていない前記物体に対応する前記メタ情報を、前記スナップショットに取り込むようにさらに構成されることを特徴とする物体認識装置（ＰＤ）。
【請求項５】
前記物体認識装置（ＰＤ）が、前記物体認識装置のユーザに関するメタ情報を認識するように構成されたユーザメタ情報受信部（ＵＭＲＰ）をさらに含むこと、および前記取込み部（ＣＰ）が、前記スナップショットに前記物体認識装置の前記ユーザに関する前記メタ情報を追加的に取り込むようにさらに構成されることを特徴とする、請求項４に記載の物体認識装置（ＰＤ）。
【請求項６】
前記物体認識装置（ＰＤ）が、前記物体認識装置に関するメタ情報を認識するように構成された認識装置メタ情報受信部（ＰＤＭＲＰ）をさらに含むこと、および、前記取込み部（ＣＰ）が、前記スナップショットに前記物体認識装置に関する前記メタ情報を追加的に取り込むようにさらに構成されることを特徴とする、請求項４または請求項５に記載の物体認識装置（ＰＤ）。
【発明の詳細な説明】
【技術分野】
【０００１】
本発明は、請求項１のプリアンブルに記載の物体認識方法、および請求項４のプリアンブルに記載の関連する認識装置に関する。
【背景技術】
【０００２】
かかる方法および関連装置は、当技術分野では、たとえばｈｔｔｐ：／／ｗｗｗ．ｒｉｃｏｈ．ｃｏ．ｊｐ／ｒ ｄｃ／ｄｃで公表もされている、Ｒｉｃｏｈ  Ｃａｐｌｉｏ  Ｐｒｏ  Ｇ３  Ｃａｍｅｒａ／ＧＰＳのカタログからすでに知られている。
【０００３】
そこには、さらにデジタルカメラとも呼ばれるＲｉｃｏｈ  Ｃａｐｌｉｏ  Ｐｒｏ  Ｇ３  Ｃａｍｅｒａ／ＧＰＳという認識装置が記載されている。この認識装置は、複数の物体を含む環境で物体を認識するように構成されている。これらの物体は、対応する物体を特徴付けるメタ情報を供給することができる。デジタルカメラと呼ばれる認識装置は、認識装置の光学レンズによるズームインまたはズームアウトと呼ばれるパースペクティブを変えることにより、視野選択に複数の物体のうちのいくつかの物体を含める。認識装置は、光学レンズの選択された焦点距離および／または認識装置のユーザのスタンドポイントによって作成された、選択に含まれている物体を見る。さらに、認識装置は、カメラのロケーション情報、すなわち選択された物体を含む写真が作成された位置、現在の時刻、および現在の日付など、認識装置それ自体に関するメタ情報を認識する。
【０００４】
この情報は、認識装置を介して見られることができるだけであるが、カメラのズームおよびスタンドポイントの関係で選択された、見えている全ての物体を含むデジタル写真と呼ばれるスナップショットに、追加的に取り込まれることができる。
【０００５】
かかる認識装置の不利な点は、認識可能な物体が、かかる認識装置を介して認識されることがあり、認識可能で取り込まれた物体の内容に関する情報を何も含まずに、結局取り込まれてしまう可能性があることである。
【非特許文献１】Ｒｉｃｏｈ  Ｃａｐｌｉｏ  Ｐｒｏ  Ｇ３  Ｃａｍｅｒａ／ＧＰＳのカタログ
【非特許文献２】ＢＡＲＴＯＮ、「Ｓｅｎｓｏｒ−ｅｎｈａｎｃｅｄ  Ｍｏｂｉｌｅ  Ｗｅｂ  Ｃlｉｅｎｔｓ：  ａｎ  ＸＦｏｒｍｓ  Ａｐｐｒｏａｃｈ」、ＷＷＷ  ２００３−ＡＣＭ  １−５８１１３−６８０−３／０３／０００５，２００３年５月２４日、頁８０−８９
【非特許文献３】ＫＩＮＤＢＥＲＧ、「Ｉｍｐｌｅｍｅｎｔｉｎｇ  ｐｈｙｓｉｃａｌ  ｈｙｐｅｒｌｉｎｋｓ  ｕｓｉｎｇ  ｕｂｉｑｕｉｔｏｕｓ  ｉｄｅｎｔｉｆｉｅｒ  ｒｅｓｏｌｕｔｉｏｎ」、ＩＮＴＥＲＮＡＴＩＯＮＡＬ  ＷＯＲＬＤ  ＷＩＤＥ  ＷＥＢ  ＣＯＮＦＥＲＥＮＣＥ，ＰＲＯＣＥＥＤＩＮＧＳ  ＯＦ  ＴＨＥ  １１ＴＨ  ＩＮＴＥＲＮＡＴＩＯＮＡＬ  ＣＯＮＦＥＲＥＮＣＥ  ＯＮ  ＷＯＲＬＤ  ＷＩＤＥ  ＷＥＢ、２００２年１２月３１日、頁１９１−１９９
【非特許文献４】「ＤＩＳＴＲＩＢＵＴＩＮＧ  ＵＮＩＦＯＲＭ  ＲＥＳＯＵＲＣＥ  ＬＯＣＡＴＯＲＳ  ＡＳ  ＢＡＲ  ＣＯＤＥ  ＩＭＡＧＥＳ」、ＩＢＭ  ＴＥＣＨＮＩＣＡＬ  ＤＩＳＣＬＯＳＵＲＥ  ＢＥＬＬＥＴＩＮ，ＩＢＭ  ＣＯＲＰ．  ＮＥＷ  ＹＯＲＫ，ＵＳ，第３９巻、第１号、１９９６年、頁１６７
【非特許文献５】ＦＬＥＣＫ  Ｍ；  ＦＲＩＤ  Ｍ；  ＫＩＮＤＢＥＲＧ  Ｔ；  Ｏ’ＢＲＩＥＮ−ＳＴＲＡＩＮ  Ｅ；  ＲＡＪＡＮＩ  Ｒ；  ＳＰＡＳＯＪＥＶＩＣ  Ｍ、「Ｆｒｏｍ  ｉｎｆｏｒｍｉｎｇ  ｔｏ  ｒｅｍｅｍｂｅｒｉｎｇ：  ｕｂｉｑｕｉｔｏｕｓ  ｓｙｓｔｅｍｓ  ｉｎ  ｉｎｔｅｒａｃｔｉｖｅ  ｍｅｓｅｕｍｓ」、ＩＥＥＥ  ＰＥＲＶＡＳＩＶＥ  ＣＯＭＰＵＴＩＮＧ、頁１３−２１
【特許文献１】米国特許出願公開第２００２／１８４３３２号明細書
【発明の開示】
【発明が解決しようとする課題】
【０００６】
本発明の一目的は、上記の知られているタイプの認識方法および関連する認識装置であるが、選択された物体に加えて、認識装置の環境全体を特徴付ける付加的なメタ情報が取り込まれる、認識方法および関連する認識装置を提供することである。
【課題を解決するための手段】
【０００７】
本発明によれば、この目的は、請求項１に記載の物体認識方法、および請求項４に記載の認識装置によって達成される。
【０００８】
実際、認識装置によって、選択に含まれている少なくとも１つの物体に対応するメタ情報を認識し、選択に含まれていない複数の物体のうちのいくつかの物体に対応するメタ情報を追加的に認識し、その情報を認識することに加えて、選択内の少なくとも１つの物体に対応するメタ情報および前記選択に含まれていない物体に対応するメタ情報を、スナップショットに追加的に取り込むことによって、（選択に含まれている少なくとも１つの物体の取り込まれた表示を含む）スナップショットに注釈も付ける。
【０００９】
このようにして、スナップショット、写真、またはレコーディングと呼ばれる選択内の物体の表示は、選択内の物体の環境を特徴付ける情報で注釈を付けられる。
【００１０】
本発明の他の特徴的な実施形態は、請求項２に記載の方法、および請求項５に記載の認識装置で説明されている。
【００１１】
認識装置ＰＤは、認識装置のユーザに関するメタ情報を認識し、スナップショットにユーザに関するメタ情報を追加的に取り込むように追加的に構成される。
【００１２】
本発明の他の特徴的な実施形態は、請求項３に記載の方法および請求項６に記載の認識装置で説明されている。
【００１３】
物体認識装置ＰＤは、認識装置に関するメタ情報を認識し、前記スナップショットに前記物体認識装置に関する前記メタ情報を取り込むように追加的に構成される。このメタ情報は、とりわけ、認識装置のロケーションのワールド座標、現在の時刻、現在の気温などでよい。
【００１４】
特許請求の範囲で使用されている「含む」という用語は、その後に列挙されている手段に制限されると解釈されるべきでないことに留意されたい。したがって、「手段ＡおよびＢを含む装置」という表現の範囲は、構成要素ＡおよびＢだけからなる装置に限定されるべきはではない。すなわち、本発明に関しては、その装置のただ関連するだけの構成要素が、ＡおよびＢであることを意味する。
【００１５】
同様に、特許請求の範囲で使用されている「結合された」という用語も、直接の接続だけに限定されると解釈されるべきでないことに留意されたい。したがって、「装置Ｂに結合された装置Ａ」という表現の範囲は、装置Ａの出力が装置Ｂの入力に直接接続されている装置またはシステムに限定されるべきではない。すなわち、他の装置または手段を含む経路でもよい、Ａの出力とＢの入力との間の経路が存在することを意味する。
【００１６】
本発明の上記および他の目的ならびに特徴は、添付の図面に関連して行われる実施形態についての以下の説明を参照することによって、より明らかになり、本発明自体が最もよく理解されるであろう。
【発明を実施するための最良の形態】
【００１７】
以下のパラグラフでは、図面を参照しながら、認識装置ＰＤの実装について説明する。この説明の第１のパラグラフでは、図１に示す認識装置ＰＤの主な要素について説明する。第２のパラグラフでは、前述の要素と部分との間の全ての接続について規定する。次のパラグラフでは、認識装置ＰＤによる本発明の実際の実行について説明する。
【００１８】
複数の物体のうちのいくつかの物体が、対応する物体を特徴付けるメタ情報を供給することができる複数の物体を含む環境で、少なくとも１つの物体を認識するように構成された認識装置ＰＤ。かかる認識装置ＰＤは、特定のフォトカメラでも、音および光景を記録するための特定のビデオカメラでも、あるいは特定のオーディオレコーダでもよい。この認識装置ＰＤは、選択に含まれている複数の物体の少なくとも１つの物体を認識するように構成された、物体認識部ＯＰＰを含む。この認識装置の物体認識部ＯＰＰは、カメラの光学レンズでも、オーディオレコーダのマイクロフォンアレイでも、あるいはそれらの組合せでもよい。
【００１９】
認識装置ＰＤは、物体認識装置ＰＤのパースペクティブを変えることによって、選択に複数の物体のうちの少なくとも１つの物体を含めることができる、物体選択部ＯＳＰをさらに含む。このパースペクティブは、レンズの焦点距離、カメラのユーザの位置およびスタンドポイント、および／またはマイクロフォンアレイの構成によって決定されることができる。
【００２０】
物体認識装置ＰＤは、選択内の少なくとも１つの物体に対応するメタ情報を認識するように構成された、メタ情報認識部ＭＰＰを追加的に含む。このメタ情報認識部ＭＰＰは、リアルタイムメッセージベースの（たとえばＷ３Ｃ  Ｗｅｂオントロジ言語、ＲＤＦ、ＨＴＴＰ、またはＷｉＦｉに基づく）物体メタ情報交換通信プロトコルをイネーブルにする、無線送受信装置でよい。メタ情報認識部ＭＰＰは、要求／応答メッセージング通信モデル（ローカルブロードキャスト）を使用して、（少なくとも１つの一意の物体識別子、物体のロケーションのワールド座標、およびメタ情報の経過時間を示すリアルタイムスタンプを含む）認識装置ＰＤの近所内にある物体の全てのメタ情報、および周りの物体の対応する拡張メタ情報を収集することができる。メタ情報認識部ＭＰＰは、受信した応答物体のロケーションのワールド座標、認識装置のロケーションの実際のワールド座標、および、たとえば認識装置のパースペクティブ規定を使用して、応答物体のうちのどれが、認識装置のパースペクティブ内にあるかを規定する。たとえば、ビジュアルパースペクティブは、認識装置のレンズの仕様、ビューイング方向を表す３次元方向ベクトル（これは航空学では、姿勢およびコンパス方位によって規定される）、および位置によって規定される。ユーザは、たとえば認識装置のビジュアル機器の焦点距離および開口を調整して、ビジュアルパースペクティブ内の焦点および被写界深度を調整することができ、たとえば、前の選択内の物体のうちの少なくとも１つに、ビジュアルに焦点を合わせることができる。次いで、ユーザは、認識装置からメタ情報ブラウザを使用して、選択された物体の受信されたメタ情報をブラウズすることができる。
【００２１】
実施形態の一例として、物体メタ情報をビジュアルにブラウズするユーザ体験は、以下の通りであり得る。ユーザが、認識装置ＰＤのビジュアルシーカに目を通しているとき、ユーザには、オーバレイ内に、現在見えている範囲内の物体の利用可能なメタ情報の存在を示すシーカビュー内にあるいくつかのビジュアルマーカが見える。認識装置ＰＤには、ポインティング／選択装置が装備されていてもよい。ユーザが、ビジュアルマーカの１つを指すと、たとえば名前だけなど、いくつかの最少物体メタ情報が、オーバレイ内に表示される。もちろん、これは、シーカビュー内のオーバレイに物体名を常に表示しておくためのデフォルト設定であり得ることが考えられる。ユーザが、指示したマーカを選ぶと、現在のシーカビューの被写界深度の向こうまたはその前の物体に関するメタ情報のブラウジングをイネーブルにするために、シーカビューに、より多くのメタ情報、たとえばさらに詳しい情報への選択可能なＵＲＬリンクなどがビジュアルに示されることができる。あるいは、現在シーカビュー内に見えない物体に関するメタ情報をブラウズすることができるように、ユーザは、認識装置ＰＤの選択スライダを使用することができる。このようにして、ユーザは、物体の存在、そのメタ情報、および、たとえば認識装置ＰＤのロケーションに関するその物体のロケーションおよび距離を知ることができる。もちろん、このユーザ体験は、装備されている認識装置ＰＤのビジュアルシーカの使用によって限定されるものではない。認識装置ＰＤには、追加の小さなスクリーンも装備されていること、あるいは少なくともより大きなスクリーンが接続されることができることが考えられる。同じことは、体験のオーディオ態様にもあてはまる。たとえば、周りの物体は、それらが方向をそれとなく示しているという印象をユーザに与えることができる。
【００２２】
一例として、ポータブルラジオは、少なくとも以下のメタ情報、すなわち、ポータブルラジオの一意の物体識別子、ポータブルラジオのロケーションのワールド座標、メタ情報の経過時間を示すリアルタイムスタンプ、現在のオーディオソース（ラジオ局、ＣＤ、カセットなど）、および現在演奏中の歌を含む。記載されるように、たとえば、オーディオソースを切替えるための制御ＵＲＬ、現在の局へのＵＲＬ、ソングライターのＷｅｂサイトへのＵＲＬなどをさらに送り返して、追加の情報を問い合わせることができる。
【００２３】
認識された物体のメタ情報のブラウジングは、ビジュアルに体験されることができる物体に限定されない。ビジュアルパースペクティブ規定内かつ範囲内にあるメタ情報の送信元である全ての物体が、選択の候補である。例としては、仮想ポストイットノート、オーディオソースなどの情報源がある。
【００２４】
メタ情報認識部ＭＰＰは、自然発生的ブロードキャスト通信プロトコルをサポートすることもできることに留意されたい。このようにして、移動する物体が認識されることができる。受信されたメタ情報が、たとえば速度ベクトル、加速ベクトルなど、物体の物理的コンテキストの情報を含むことは明らかである。
【００２５】
メタ情報受信部ＭＲＰは、同様に、選択に含まれていない複数の物体のうちのいくつかの物体に対応するメタ情報を受信することもできる。このメタ情報受信部ＭＲＰは、（たとえば、Ｗ３Ｃ  Ｗｅｂオントロジ言語、ＨＴＴＰ、およびＷｉＦｉに基づく）リアルタイムメッセージベースの物体メタ情報交換通信プロトコルをイネーブルにする無線送受信装置でよい。メタ情報受信部ＭＲＰは、要求／応答メッセージング通信モデルを使用して、少なくとも一意の物体識別子、物体ロケーションの物体ワールド座標、およびメタ情報の経過時間を示すリアルタイムスタンプを含む、周りの物体の全てのメタ情報を収集することができる。
【００２６】
さらに、物体認識装置ＰＤは、認識装置のユーザに関するメタ情報を認識するように構成されたユーザメタ情報受信部ＵＭＲＰを含む。ユーザメタ情報受信部ＵＭＲＰは、（たとえば、Ｗ３Ｃ  Ｗｅｂオントロジ言語、ＨＴＴＰ、およびＷｉＦｉに基づく）リアルタイムメッセージベースの物体メタ情報交換通信プロトコルをイネーブルにする無線送受信装置でよい。ＵＭＲＰは、要求／応答メッセージング通信モデルを使用して、ユーザの心拍周波数、ユーザの体温、およびたとえばユーザの個人識別でよい、カメラのユーザのメタ情報を収集する。
【００２７】
前記認識装置に関するメタ情報を認識するように構成された認識装置メタ情報受信部ＰＤＭＲＰ。このメタ情報は、認識装置のたとえば現在の高度、認識装置のたとえば物体識別、たとえば装備された温度センサ、気圧センサ、湿度センサなどを介して認識された現在のロケーションでの環境特性を含む、たとえば装備された全地球測位システムモジュールを介して取り出された、認識装置のロケーションの少なくともたとえばワールド座標を含むこともできる。認識装置メタ情報受信部ＰＤＭＲＰは、全体としての認識装置ＰＤのアセンブリ、前記認識装置ＰＤのアセンブリ内の部分、部分の制約および機能についてのメタ情報と共に部分間の関係、および前記認識装置ＰＤのアセンブリの関係に関する、取込み部ＣＰのメタ情報をも提供する。認識装置メタ情報受信部ＰＤＭＲＰは、現在のロケーションによる現在のカレンダおよび現在の時刻についての取込み部ＣＰのメタ情報をも提供する。リアルタイムスタンプは、それぞれのメタ情報の経過時間を示す。
【００２８】
認識装置は、取込み部ＣＰをさらに含み、この取込み部ＣＰは、選択に含まれている少なくとも１つの物体の表示を、スナップショットに取り込むことができ、それに加えて、選択内の少なくとも１つの物体に対応するメタ情報、および選択に含まれていない物体に対応するメタ情報を、このスナップショットに取り込むことができる。取込み部ＣＰは、認識装置のユーザに関するメタ情報および認識装置ＰＤに関するメタ情報を、スナップショットに取り込むように任意選択で構成されることができる。
【００２９】
さらに、選択内の少なくとも１つの物体の表示に対応するスナップショットを処理することができる処理部ＰＰがある。処理部ＰＰは、スナップショットを記憶しておくための記憶部でよい。あるいは、処理部ＰＰは、スナップショットを、たとえば、記憶媒体、別のユーザ、または別のカメラを有するホームコンピュータに転送することができる転送手段でもよい。これは、ＷｉＦｉ通信、ＧＳＭ通信、ＲＦＩＤ通信、あるいは他のどんな適切な通信技術を使用して行われてもよい。
【００３０】
あるいは、処理部は、たとえば、ある物体のメタ情報に含まれているＵＲＬ情報に基づいて、インターネットをブラウズするためのブラウジング装置でもよい。
【００３１】
物体選択部ＯＳＰは、物体認識部ＯＰＰの入力に結合され、同時にメタ情報認識部ＭＰＰの入力に結合される出力を有する。以下の各部分、つまり、物体認識部ＯＰＰ、メタ情報認識部ＭＰＰ、メタ情報受信部ＭＲＰ、認識装置メタ情報受信部ＰＤＭＲＰ、およびユーザメタ情報受信部ＵＭＲＰは、出力で取込み部ＣＰの入力に結合される。取込み部ＣＰは、処理部ＰＰの入力に結合される出力をさらに有する。処理部ＰＰは、同様に、同時に認識装置ＰＤの出力端末Ｏ１である出力も有する。
【００３２】
物体選択部ＯＳＰは、同時に認識装置ＰＤの入力端末Ｉ１である入力を有する。この入力端末は、パースペクティブを制御するためのユーザ制御情報を受信することができる。メタ情報認識部ＭＰＰは、同時に認識装置ＰＤの入力端末Ｉ１である入力を有する。この入力端末は、物体認識部ＯＰＰの選択内の物体によって送信されたメタ情報を受信することができる。さらに、メタ情報受信部ＭＲＰおよびユーザメタ情報受信部ＵＭＲＰは、それぞれ、認識装置の入力端末Ｉ３、Ｉ４にそれぞれ結合された入力を有する。入力端末Ｉ３で受信された情報は、認識装置のユーザに関する情報を含む。さらに、入力端末Ｉ４で受信された情報は、選択に含まれていない物体に関するメタ情報を含む。物体認識部ＯＰＰは、同時に認識装置ＰＤの入力端末である入力を有する。認識装置のこの入力端末は、現実の世界に関する情報のエントリ、すなわち、物体認識部ＯＰＰの選択内の物体のビジュアル表示、または物体認識部ＯＰＰによって送信される音を表す。
【００３３】
本発明を説明するために、認識装置が、複数の物体Ｏｂ１〜Ｏｂ６が認識装置ＰＤの周りに存在する、図２に示すような環境で使用されると仮定する。
【００３４】
物体Ｏｂ１〜Ｏｂ６のそれぞれは、その物体に関するメタ情報を供給することができると仮定する。このメタ情報は、一意の物体識別子、物体のロケーションのワールド座標、メタ情報の経過時間を示すリアルタイムスタンプ、追加情報のＵＲＬ、制御ＵＲＬなど、物体の説明を含むことができる。
【００３５】
認識装置ＰＤの物体選択部ＯＳＰは、前記物体認識装置のパースペクティブを変化させることによって、認識装置ＰＤによって見られる選択内の複数の物体のうちのいくつかの物体を含むことができる。ここでパースペクティブは、とりわけ、ユーザのスタンドポイント、ビューイング方向、およびビューイングアングルから、認識装置ＰＤのレンズの焦点距離によって決定される。あるロケーションおよび高度でのビューイング方向の正確な規定をサポートするために、認識装置ＰＤには、ワールド座標システムに関するビューイング方向に影響を与える、認識装置ＰＤのティルト、パン、バンク、またはロールなどの特性を限定するための複数のセンサ機器が装備されることができる。図２に示されているビューイング方向の場合、パースペクティブは、物体Ｏｂ１およびＯｂ２が、選択に含まれるように、したがって物体Ｏｂ１およびＯｂ２を認識することができる物体認識部ＯＰＰによって、認識装置ＰＤを介して見られることができるように変えられる。
【００３６】
メタ情報認識部ＭＰＰは、さらに、選択された物体Ｏｂ１およびＯｂ２に対応するメタ情報を見ることができる。城である物体Ｏｂ１の場合、メタ情報は、城の名前、城の年代、入城時間、およびより詳しい情報を得るためのＵＲＬでよく、ホテルである物体Ｏｂ２は、特定のホテルに関するＷｅｂサイトのＵＲＬを含み得るメタ情報を有する。認識装置ＰＤのユーザは、このＷｅｂサイトをブラウズし、処理部ＰＰによってＷｅｂサイトと対話することができる。
【００３７】
物体Ｏｂ３からＯｂ６は、たとえば、それぞれ彫像Ｏｂ３、交通標識Ｏｂ４、同様の認識装置Ｏｂ５を有する人物、店舗Ｏｂ６内の写真を印刷することができるプリンタなどでよい。物体Ｏｂ３からＯｂ６が選択されない場合、メタ情報認識部ＭＰＰおよびメタ情報受信部ＭＲＰは、メタ情報を受信する。物体Ｏｂ３からＯｂ６が選択された場合は、選択された物体に対応するさらに多くの情報が、メタ情報受信部ＭＲＰによって受信されて見られることができる。彫像Ｏｂ３に関しては、彫像のスタイル、主題、制作年月日、彫刻された材料、彫刻家の名前、および、さらに多くの情報を得るための追加のＵＲＬについて知ることができる。制御ＵＲＬが受信されることは考えられない。制御ＵＲＬは、たとえば、アプローチなどのＷｅｂサービス（Ｗ３Ｃ  Ｗｅｂサービスアーキテクチャ参照）内の、コマンドおよびパラメータをエンコードして、選択された物体を指し戻すＵＲＬである。制御ＵＲＬを選択すると、その結果、暗がりで写真を作成するために彫像をより良く照明するために、ライトのオン／オフの切替えることができる。追加のマルチメディアベースの情報にアクセスするために、たとえば、彫像の歴史的背景に関する簡単な説明（テキスト、写真、音声、および／または映像）にアクセスするために、ＵＲＬが提供されることは考えられない。これらのマルチメディア成果物は、近所のローカルアクセスポイントを介してダウンロードされることができ、同じ認識装置ＰＤの処理部ＰＰによって再生されることができる。（たとえば、後ほど家で休日の写真鑑賞会にこれらを使用するために）Ｅメールを介してこれらの成果物の参考事項を送信するためのオプションが提供されることは考えられない。交通標識Ｏｂ４の場合は、その標識のメッセージの意味に関する追加のメタ情報、異常事態の場合は責任者の電話番号、もよりの警察署の電話番号、（たとえば、基本的標識コースへのアクセスを提供する）さらに詳しい情報を得るためのＵＲＬを受信することができる。同様の認識装置Ｏｂ５を有する人物の場合は、名前、感情の状態、通信参考事項（住所、電話番号、ＧＳＭ番号）、年齢、職業、その人物のＷｅｂページへのＵＲＬ、認識装置にローカルに記憶されている写真にアクセスするＵＲＬを受信し、あるいは、もう一方の認識装置によって現在使用中の認識規定、範囲規定、および焦点規定の値にアクセスすることができる。もう一方の認識装置で利用可能なメタ情報へのアクセスが提供されるということは考えられない。店舗Ｏｂ６内のフォトプリンタの場合は、フォトプリンタの主な特性についてのメタ情報を受信することが考えられ、たとえば、店舗の名前、開店時間、印刷単価、ならびに名前、住所、電話番号、ＧＳＭ番号などの連絡先人物の通信特性にアクセスすることが考えられる。
【００３８】
物体Ｏｂ１およびＯｂ６と、認識装置ＰＤ、メタ情報認識部ＭＰＰ、およびメタ情報受信部ＭＲＰとの間のメタ情報の交換については、実施形態の例として以下のように詳細に説明することができる。
【００３９】
全ての物体Ｏｂ１からＯｂ６は、メタ情報を含む、非請求（ｎｏｎ−ｓｏｌｉｃｉｔｅｄ）の通知メッセージを定期的な時間間隔でブロードキャストする。このメタ情報は、たとえば少なくとも以下のメタ情報、つまり前記非請求の通知メッセージの目的を示す識別子、メッセージの発信元の一意の物体識別子、メッセージの発信物体のロケーションのワールド座標、およびメッセージが送信された時刻を示すリアルタイムスタンプを含む。
【００４０】
メタ情報認識部ＭＰＰおよびメタ情報受信部ＭＲＰは、両方とも、メタ情報を含むこれらの非請求の通知メッセージを受信し処理することができる。
【００４１】
メタ情報認識部ＭＰＰは、たとえば追加メタ情報を要求するために、選択された物体との特定のリアルタイム通信セッションを設定することができる。これは、少なくともたとえば以下の情報、すなわち、非請求の要求メッセージの目的を示す識別子、追加メタ情報要求明細、メタ情報認識部ＭＰＰによって規定された通信セッション識別子、メッセージが発信された時刻を示すリアルタイムスタンプ、通信のための目標物体の物体識別子、メッセージが発信された時刻にメタ情報認識部ＭＰＰによって知られた目標物体のロケーションのワールド座標、この場合たとえば認識装置ＰＤの物体識別子であるこのメッセージの発信元の物体識別子、およびメッセージが発信された時点の認識装置ＰＤのロケーションのワールド座標を含む、非請求の要求メッセージをブロードキャストすることによって達成されることができる。
【００４２】
受信された非請求の要求メッセージに記載された通信のための目標物体の物体識別子と同じ物体識別子を有する物体を意味する目標物体は、たとえばメタ情報認識部ＭＰＰによって要求された追加のメタ情報を提供する。目標物体は、応答として、少なくともたとえば以下の情報、すなわち、請求された応答メッセージの目的を示す識別子、通信のための目標物体としての認識装置ＰＤの物体識別子、請求された応答メッセージが発信された時刻の非請求の要求メッセージの発信物体のロケーションの知られているワールド座標、通信の発信元としての応答物体の物体識別子、発信物体のロケーションのワールド座標、通信コンテキストとしての、前に受信された非請求の要求メッセージからのセッション識別子、メッセージが発信された時刻を示すリアルタイムスタンプ、および要求された追加のメタ情報を含む、請求された応答メッセージのブロードキャストを使用する。
【００４３】
メタ情報認識部ＭＰＰは、非請求の通知メッセージ、非請求の要求メッセージ、あるいは、たとえば通信のための目標物体の物体識別子または通信セッション識別子の調査に基づく、請求された応答メッセージを廃棄することができる。
【００４４】
メタ情報受信部ＭＲＰは、非請求の通知メッセージ、非請求の要求メッセージ、あるいは、たとえば通信のための目標物体の物体識別子、メッセージの目的を示す識別子、通信セッション識別子、追加のメタ情報に関する定式化要求の存在、または追加のメタ情報の存在の調査に基づき、請求された応答メッセージを廃棄することができる。
【００４５】
認識装置ＰＤは、メタ情報を認識することができる。物体Ｏｂ１からＯｂ６に対応するこのメタ情報は、Ｗ３Ｃ  Ｗｅｂオントロジ言語（ＯＷＬ）、またはＷ３Ｃ  ＲＤＦベースの記述（リソース記述フレームワーク）、あるいは知識を記述するためのその他のどんな手段を使用して、たとえばエンコードされたメッセージを転送する無線通信技術を用いて、認識装置ＰＤに送信されることができる。
【００４６】
物体認識装置ＰＤは、さらに、認識装置のユーザに関するメタ情報を認識するように構成されたユーザメタ情報受信部ＵＭＲＰをも含む。このメタ情報は、心拍周波数、血圧、体温、専用のセンサによって検出されることができる、あるいはローカル身体ネットワーク機器によって提供されることができる個人識別を含む。
【００４７】
認識装置は、取込み部ＣＰをさらに含み、取込み部ＣＰは、「スナップショット」に、物体選択部ＯＳＰによって作成された選択に含まれる全ての物体Ｏｂ１からＯｂ６から選択された物体Ｏｂ１およびＯｂ２の表示を取り込むように構成される。取込み部ＣＰは、スナップショットに、物体Ｏｂ１および物体Ｏｂ２の表示に加えて、物体Ｏｂ１およびＯｂ２に対応するメタ情報、ならびに前記選択に含まれない物体に対応するメタ情報をさらに含む。
【００４８】
取込み部ＣＰにとって利用可能な選択内の物体Ｏｂ１およびＯｂ２に関するさらに多くのメタ情報が存在し、したがってこれらの物体に対応するさらに多くのメタ情報が、スナップショットに記憶しておかれることができることは明らかである。それにもかかわらず、物体Ｏｂ１からＯｂ６に関する最少のメタ情報は、取込み部ＣＰにとって利用可能であり、その結果として、スナップショットに記憶しておかれる。
【００４９】
これは、それぞれの物体のロケーションのワールド座標と一緒に、少なくともたとえば、城（Ｏｂ１参照）の一意の名前、ホテル（Ｏｂ２参照）の一意の名前、彫像（Ｏｂ３参照）の一意の名前、交通標識（Ｏｂ４参照）の一意の名前、人物（Ｏｂ５参照）の一意の名前、およびフォトプリンタ（Ｏｂ６参照）の一意の名前を含むことができる。
【００５０】
メタ情報が名前を含む場合、取込み部は、重複が発生した場合、スナップショットのコンテキスト内の名前を一意にする。
【００５１】
さらに、ユーザメタ情報受信部ＵＭＲＰによって認識される認識装置のユーザに関する認識されたメタ情報は、前記認識装置のいくつかのメタ情報と一緒に、取込み部ＣＰによってスナップショットに追加的に組み込まれることができる。認識装置のこのメタ情報は、認識装置メタ情報受信部ＰＤＭＲＰによって認識されるように、認識装置に組み込まれている全地球測位システムモジュールに基づく装置のロケーション、現在の時刻、ロケーションの現在の気温、高度、気圧などでよい。
【００５２】
選択内の物体の表示は、ビデオレコーディングの場合、録音された音を追加的に含むことができることに留意されたい。
【００５３】
メタ情報認識部ＭＰＰは、物体選択部ＯＳＰによって行われた認識装置の選択に対応する少なくとも１つの物体との通信をサポートする、指向性アンテナの使用を含むことができることにさらに留意されたい。この場合、装置は通信の手段の性質によって、選択内の物体、すなわち指向性通信エリア内にある物体について知っているので、物体は、メタ情報内のワールド座標をそこに送信する必要がない。また、メタ情報受信部ＭＲＰは、物体選択部ＯＳＰの制御の下に行われた認識装置の選択に対応しない物体の少なくとも１つとの通信をサポートする、無指向性アンテナを含むことができること。
【００５４】
メタ情報認識部ＭＰＰは、認識装置の選択に対応する少なくとも１つの物体から追加のメタ情報を取り出すために、通信に関するセッション通信管理を含むことができ、一方、メタ情報受信部ＭＲＰの手段は、選択に含まれていない物体に関する、非請求の基本的メタ情報および請求された基本的メタ情報を取り出すことに留意されたい。
【００５５】
さらに、ＰＤは、複数のより高いレベルのアプリケーションをホストすることができることに留意されたい。上記の諸機能は、ＰＤ内部でホストされることができる様々な特定のアプリケーションをイネーブルにする。ユーザが、どの方向に行くべきか、また、これらの物体の方に物理的にどれぐらいの距離を行くべきかについて、ビジュアルシーカ内のオーバレイ内でビジュアルフィードバックを得ることができることは考えられる。ビジュアルフィードバックは、コンパス表示、ワールド座標システムに関連する認識装置ＰＤの姿勢に関する範囲表示、認識装置の現在のロケーションの全地球測位システム座標、認識装置ＰＤに装備可能なセンサに全て基づく表示に従う方向を含むことができる。現在のシーカビュー内に見える、あるいは見えない周りの物体が、ユーザが興味のある選択された物体の方に移動するのをサポートするために、追加の情報および／またはビジュアルフィードバックを提供することは考えられる。かかる協働の一例は、ユーザが市街地図などを使用して、たどるべきルート情報を得ることであり得る。
【００５６】
他の使用例は、エンドユーザが、観察された物体に対するリモート触覚（タッチ、モーションなど）フィードバックを得る、ゲームコンソールでのフォースフィードバックのアプリケーションに類似したアプリケーションである。この場合、物体は、そこでの触覚フィードバック体験についての特定のメタ情報を送信するが、本発明の認識装置ＰＤには、適切なフィードバック構成要素が装備されている。
【００５７】
また、実施者は、自分が必要とする保護されたインフラストラクチャを得るために、上記ソリューションをどんな利用可能なセキュリティ機構とも統合することができることにも留意されたい。
【００５８】
最後に言及することは、本発明の諸実施形態は、機能的ブロックの点から見て説明されていることである。上記のこれらのブロックの機能的説明から、どのようにこれらのブロックの諸実施形態が、よく知られている電子部品で製作されることができるかは、電子装置を設計する当業者には明らかである。したがって、機能ブロックの内容の詳細なアーキテクチャは説明されない。
【００５９】
本発明の原理は、特定の機器に関して上記に説明されてきたが、この説明は、単に例として行われただけであり、添付の特許請求の範囲に規定される本発明の範囲に関する限定としてではないことを明確に理解されたい。
【図面の簡単な説明】
【００６０】
【図１】本発明の認識装置ＰＤを表す図である。
【図２】本発明の認識装置ＰＤが使用される環境を表す図である。
【符号の説明】
【００６１】
Ｏ１  出力端末
Ｉ１、Ｉ３、Ｉ４  入力端末
Ｏｂ１、Ｏｂ２、Ｏｂ３、Ｏｂ４、Ｏｂ５、Ｏｂ６  物体
【図１】
2006304282.tif 000003
【図２】
2006304282.tif 000004
【外国語明細書】
2006304282.tif 000005
2006304282.tif 000006
2006304282.tif 000007
2006304282.tif 000008
2006304282.tif 000009
2006304282.tif 000010
2006304282.tif 000011
2006304282.tif 000012
2006304282.tif 000013
2006304282.tif 000014
2006304282.tif 000015
2006304282.tif 000016
2006304282.tif 000017
2006304282.tif 000018
2006304282.tif 000019
2006304282.tif 000020
2006304282.tif 000021
2006304282.tif 000022
2006304282.tif 000023
2006304282.tif 000024